(57)【要約】      （修正有）【課題】生地厚さに十分なボリュウムを生じさせて保温性を出しながら、柔軟なストレッチ性（伸び性）をも豊富にさせて動きやすい衣類を製作する際などに、好適に使用することができる生地を提供する。また、ストレッチ性を豊富にさせることによってもスナッキング等の不都合及びラン発生による生地ほつれの拡大は生じない編組織を提供する。【解決手段】編成時に糸を走らせる方向をコース方向とおいてこのコース方向に複数の給糸口を設けて編み降ろした生地であって、タック編したタックコース３と、弾性糸１０と非弾性糸１１とのプレーティング編により少なくとも一方をダブルニットにしたプレーティングコース５とを含み且つシングルニットのみのコースを不存在にしてリピート編組織を構成させてある。【選択図】図１
2014201854.tif 000002
【特許請求の範囲】
【請求項１】
編成時に糸を走らせる方向をコース方向とおいてこのコース方向に複数の給糸口を設けて編み降ろした生地であって、タック編したタックコースと、弾性糸と非弾性糸とのプレーティング編により少なくとも一方をダブルニットにしたプレーティングコースとを含み且つシングルニットのみのコースを不存在にしてリピート編組織を構成させてあることを特徴とする地厚ストレッチ生地。
【請求項２】
前記プレーティングコースの次コースには、前記タックコースが隣接配置されていることを特徴とする請求項１記載の地厚ストレッチ生地。
【請求項３】
前記プレーティングコースのニードルループに対して前記タックコースのタックが引き上げられて３重ループが形成されていることを特徴とする請求項２記載の地厚ストレッチ生地。
【請求項４】
前記プレーティングコースは、前記非弾性糸をダブルニットし前記弾性糸をシングルニットにしたコースであることを特徴とする請求項１乃至請求項３のいずれか１項に記載の地厚ストレッチ生地。
【請求項５】
前記タックコースの次コースには長糸長の給糸を行ってダブルニットコースが隣接配置され、このダブルニットコースの次コースには前記プレーティングコースが隣接配置されて、これら３コースでリピートされていることを特徴とする請求項１乃至請求項４のいずれか１項に記載の地厚ストレッチ生地。
【発明の詳細な説明】
【技術分野】
【０００１】
本発明は、生地厚さに十分なボリュウムを生じさせて保温性を出しながら、柔軟なストレッチ性（伸び性）をも豊富にさせて動きやすい衣類を製作する場合などに、好適に使用することのできる地厚ストレッチ生地に関する。
【背景技術】
【０００２】
シリンダ及びダイヤルを備えたダブルの丸編機を用いて編成した丸編地（筒状生地）として、軽く且つボリュウムを有する編地が知られている（例えば、特許文献１等参照）。この公知の編地は、糸を走らせる方向（シリンダーやダイヤルの周方向）をコース方向とおいてこのコース方向に複数の給糸口を設けて編み降ろす際に、シリンダー針によるシングルニット（例えば、平編）のみのコースと、ダイヤル針によるシングルニットのみのコースと、ダイヤル針側をタックとしシリンダ針側をニットとしつつ更にプレーティング編をしたコースとを組み合わせて編組織を構成させるようになっている。
【０００３】
一方、他の筒状生地として、保温性を高めるために起毛させた編地が知られている（例えば、特許文献２等参照）。この公知の起毛編地についても、コース方向に複数の給糸口を設けて編み降ろす際に、シリンダー針によるシングルニットのみのコースと、ダイヤル針によるシングルニットのみのコースと、ダイヤル針側をタックとしシリンダ側をニットとしたコースとを組み合わせて編組織を構成させるようになっている。そして、ダイヤル針側をタックとしシリンダ針側をニットとしたコースのうち、シリンダ針側のニードルループを起毛させている。
【先行技術文献】
【特許文献】
【０００４】
【特許文献１】特開昭６２−１４１１６１号公報
【特許文献２】特開２０００−２５６９４５号公報
【発明の概要】
【発明が解決しようとする課題】
【０００５】
特許文献１，２により開示された公知の編地は、いずれも、ストレッチ性を重視したものではないためにダブルニット（例えば、リブ編）に編成したコースを有しておらず、ストレッチ性は十分とは言えないものとなっていた。そのため、これらの編地を用いたところで、生地厚さのボリュウム感とストレッチ性とを両立させた衣類を製作することはできなかった。
【０００６】
本発明は、上記事情に鑑みてなされたものであって、生地厚さに十分なボリュウムを生じさせて保温性を出しながら、柔軟なストレッチ性（伸び性）をも豊富にさせて動きやすい衣類を製作する際などに、好適に使用することのできる地厚ストレッチ生地を提供することを目的とする。
また本発明は、ストレッチ性を豊富にさせることによってもスナッキング等の不都合及びラン発生による生地ほつれの拡大は生じない編組織を有した地厚ストレッチ生地を提供することを目的とする。
【課題を解決するための手段】
【０００７】
前記目的を達成するために、本発明は次の手段を講じた。
即ち、本発明に係る地厚ストレッチ生地は、編成時に糸を走らせる方向をコース方向とおいてこのコース方向に複数の給糸口を設けて編み降ろした生地であって、タック編したタックコースと、弾性糸と非弾性糸とのプレーティング編により少なくとも一方をダブルニットにしたプレーティングコースとを含み且つシングルニットのみのコースを不存在にしてリピート編組織を構成させてあることを特徴とする。
【０００８】
前記プレーティングコースの次コースには、前記タックコースが隣接配置されているものとするのが好適である。
前記プレーティングコースのニードルループに対して前記タックコースのタックが引き上げられて３重ループが形成されているものとするのがよい。
前記プレーティングコースは、前記非弾性糸をダブルニットし前記弾性糸をシングルニットにしたコースとするのがよい。
【０００９】
前記タックコースの次コースには長糸長の給糸を行ってダブルニットにしたダブルニットコースが隣接配置され、このダブルニットコースの次コースには前記プレーティングコースが隣接配置されて、これら３コースでリピートされたものとするのがよい。
【発明の効果】
【００１０】
本発明に係る地厚ストレッチ生地は、生地厚さに十分なボリュウムを生じさせて保温性を出しながら、柔軟なストレッチ性（伸び性）をも豊富にさせて動きやすい衣類を製作する際などに、好適に使用することができる。またこの地厚ストレッチ生地は、ストレッチ性が豊富でありながらもスナッキング等の不都合及びラン発生による生地ほつれの拡大は生じない編組織を有したものとなっている。
【図面の簡単な説明】
【００１１】
【図１】本発明に係る地厚ストレッチ生地の第１実施形態を示した組織図である。
【図２】本発明に係る地厚ストレッチ生地の第１実施形態を示した編目図である。
【図３】本発明に係る地厚ストレッチ生地の第２実施形態を示した組織図である。
【図４】本発明に係る地厚ストレッチ生地の第３実施形態を示した組織図である。
【図５】比較例生地を示した組織図である。
【発明を実施するための形態】
【００１２】
以下、本発明の実施の形態を、図面に基づき説明する。
図１及び図２は、本発明に係る地厚ストレッチ生地１の第１実施形態を示している。この第１実施形態の地厚ストレッチ生地１は、タック編したタックコース３と、プレーティング編したプレーティングコース５とを有した編組織となっており、且つ、シングルニット（例えば、平編）のみで編成されるコースは存在しない構成としてある。
【００１３】
なお、本第１実施形態では、タックコース３とプレーティングコース５との間にダブルニット（例えば、リブ編）によるダブルニットコース４を加えた３口リピートとして構成されたものとしてある。すなわち、この地厚ストレッチ生地１では、タックコース３の次コースにはダブルニットコース４が隣接配置され、このダブルニットコース４の次コースにはプレーティングコース５が隣接配置されており、このプレーティングコース５の次コースには改めてタックコース３が隣接配置されるといったことを繰り返した編組織となっている。そして、プレーティングコース５のニードルループに対し、タックコース３のタックが引き上げられて３重ループ７が形成されるようになっている（図２参照）。
【００１４】
このような編組織を有した地厚ストレッチ生地１は、例えばシリンダとダイヤルとを備えるダブルの丸編機等により編成することができる。以下では、このダブルの丸編機（図示略）を用いて編成する場合を例示し、編成時において糸を走らせる方向（シリンダーやダイヤルの周方向）をコース方向とおいて、このコース方向に複数の給糸口を設けて筒状に編み降ろすものとして説明する。本第１実施形態では３口リピートとしているので、１番給糸口〜３番給糸口（図１の上から下への順番で示す）を用いるものとしてある。
【００１５】
タックコース３は、主として生地厚さにボリュウムを持たせるためのコースである。このタックコース３は、例えばアクリルレーヨンなどの短繊維などにより編成することができる。
ダブルニットコース４は、主として生地のストレッチ性（伸び性）を豊富にさせるためのコースである。また、このダブルニットコース４は、生地表と生地裏との繋ぎ作用を奏する。このダブルニットコース４は、編成法や使用する糸種を適宜選択することで、生地表の外観や柄、風合い（肌触り）、場合によっては保温性の高低などを種々に変化させることができる。例えば、このダブルニットコース４をオールニットのリブ編とする（編針をミスにしない）場合にはゆったり感を強調させるような外観や風合いを持たせることができる。
【００１６】
このダブルニットコース４は、例えばナイロンとポリエステルとより成る長繊維複合糸により編成することができる。
これらタックコース３やダブルニットコース４において、シリンダ針側で編成したルー
プに起毛処理を施して毛羽立たせることで、このシリンダ針側による編成面を衣類の肌側面として形成させる。なお、衣類にゆったり感を持たせるには、これらタックコース３やダブルニットコース４を編成する際に、標準的なダブルニット編成時よりも更に長糸長にする設定とし、形成されるループの拡大化を図るようにするとよい。
【００１７】
プレーティングコース５は、弾性糸１０と非弾性糸１１とのプレーティング編により少なくとも一方をダブルニット（リブ編）にしたものである。本第１実施形態では、非弾性糸１１をダブルニットにしつつ、弾性糸１０をシングルニット（平編）にしてある。本来、このプレーティングコース５に充てるコースは、弾性糸１０を入れることによって生地の引き伸ばしに対する戻り性（収縮性）を発現させるためのものである。ここにおいて弾性糸１０は、シングルニットで編成することが限定されるものではなく、ダブルニット等として編成することもできる。また、本第１実施形態ではダイヤル針によるシングルニットとしてあるが、シリンダ針によるシングルニットとしてもよい。
【００１８】
ただし、図５の参考例において３番給糸口で示しているように、弾性糸１０をシングルニットのみで編成したシングルニットコース１２とした場合、いわゆる糸渡り部１３（コース方向で隣り合うループとループとの間を１本の弾性糸１０が繋いでいる部分）が現れることになる。
このような糸渡り部１３は、生地を引き伸ばした際などに、生地表面側のリブ間で直線状に露出されることになる。このようにして糸渡り部１３が微小距離であるとしても露出状態になると、この露出部分が生地を取り扱う者の爪をはじめとして、洗濯時や使用時における他物との接触で引っ掛けられやすくなり、スナッキング（生地面から糸が引き出されてほつれること）や、甚だしい場合には糸切断に繋がる要因となり得る。一旦、このようなスナッキングや糸切断に至ると、そこを起点にランが発生し、外観上、極めて目立つ生地面の破れに派生するおそれもある。
【００１９】
そこで、本発明に係る地厚ストレッチ生地１では、図１に示したように、弾性糸１０と非弾性糸１１とを用いたプレーティング編を行うことにより、弾性糸１０の糸渡り部１３を非弾性糸１１によるダブルニットで補強する編組織としてある。非弾性糸１１をダブルニットに編成する場合、この非弾性糸１１によって生地厚のボリュウムを持たせる作用や、度目が大きくなって編組織が密になりその結果、保温性を高める作用なども得られ、好適となる。また、このダブルニットにした部分が生地表と生地裏との繋ぎ作用を奏することは、ダブルニットコース４の場合と同様である。
【００２０】
このプレーティングコース５において、ダブルニットにする非弾性糸は例えばナイロンなどの長繊維により編成することができる。またシングルニットに用いる弾性糸にはＳＣＹ（シングルカバリングヤーン）やＤＣＹ（ダブルカバリングヤーン）などを採用することができる。
本第１実施形態の編組織を有する地厚ストレッチ生地１を用いて衣類を製作した結果、生地厚さに十分なボリュウムを生じさせて保温性を出しながら、柔軟なストレッチ性（伸び性）をも豊富にさせて動きやすい衣類を完成させることができた。
【００２１】
そのうえで、生地を引き伸ばすようにしても、リブ間に現れる弾性糸１０の糸渡り部１３は、ダブルニットされた非弾性糸１１が添えられて補強された状態となっている。殊に、この糸渡り部１３は、その両側に形成されている３重ループ７（図２参照）によって位置的な拘束を受けており、ルーズ性が制限されていると言うことができる。
このようなことから、地厚ストレッチ生地１を取り扱う者の爪、或いは洗濯時や使用時における他物との接触を原因として、弾性糸１０の糸渡り部１３がスナッキングや糸切断に至ることは殆どないものであった。また万が一、弾性糸１０の糸渡り部１３に対して引っ掛かりが生じたとしても、この糸渡り部１３が補強され、位置的な拘束を受けていることによってスナッキングに至る危険性は可及的に抑制されるものである。
【００２２】
従って当然に、本発明に係る地厚ストレッチ生地１では、スナッキングや糸切断を原因とするランの発生も解消され、生地面の破れに派生することも殆どないものとなっている。
図３は、本発明に係る地厚ストレッチ生地１の第２実施形態を示している。この第２実
施形態の地厚ストレッチ生地１では、プレーティングコース５において、非弾性糸１１だけでなく弾性糸１０についてもダブルニットにしてある点で、第１実施形態と異ならせてある。その他の構成や作用効果は、第１実施形態と略同様である。
【００２３】
本第２実施形態では、弾性糸１０をダブルニットにすることで、シングルニットに伴う糸渡り部（図１の符号１３を参照）が全く生じない編組織となっており、糸のほつれや糸切断の発生防止効果も一層高くなっている。また、弾性糸１０がダブルニットとされていることで、地厚感を一層高め、保温性なども一層高める利点が得られるものであった。
図４は、本発明に係る地厚ストレッチ生地１の第３実施形態を示している。この第３実施形態の地厚ストレッチ生地１では、タックコース３とダブルニットコース４とプレーティングコース５とによる３口リピートとして構成させている点は第１実施形態と同じであるが、それら各コースの相隣関係を異ならせたものとしてある。すなわち、この地厚ストレッチ生地１では、タックコース３の次コースにはプレーティングコース５が隣接配置され、このプレーティングコース５の次コースにはダブルニットコース４が隣接配置されており、このダブルニットコース４の次コースには改めてタックコース３が隣接配置されるといったことを繰り返した編組織となっている。
【００２４】
ところで、本発明は、前記の実施形態に限定されるものではなく、実施の形態に応じて適宜変更可能である。
例えば、本発明に係る地厚ストレッチ生地１は、ダブルシリンダを備えた丸編機や２列針床の横編機によって編成することもできる。このことから明らかなように、本発明に係る地厚ストレッチ生地１は、筒状であること、又は筒状として編成された形体を経ることが条件付けられるものではなく、一枚ものの平生地として編成されたものでもよい。
【００２５】
ダブルニットコース４は、省略することもできる。
シングルニットのみで編成するコースを含まないことを条件として、３口を超えて給糸口を設けることも可能であり、４口以上のリピート組織とすることが可能である。
タックコース３、ダブルニットコース４、プレーティングコース５の各コースにおいて、それぞれ使用する糸種は特に限定されるものではなく、例えば、タックコース３に長繊維を採用したり、ダブルニットコース４に短繊維を採用したりしてもよい。また、プレーティングコース５においてダブルニットにする非弾性糸１１に短繊維を採用することも可能である。当然に、短繊維や長繊維として具体的に何を選択するかについても、何ら限定されるものではない。また、プレーティングコース５においてシングルニットにする弾性糸１０についても、ＳＹＣやＤＹＣの他、ベア糸を採用することが可能である。
【符号の説明】
【００２６】
１  地厚ストレッチ生地
３  タックコース
４  ダブルニットコース
５  プレーティングコース
７  ３重ループ
１０  弾性糸
１１  非弾性糸
１２  シングルニットコース
１３  糸渡り部
【図１】
2014201854.tif 000003
【図２】
2014201854.tif 000004
【図３】
2014201854.tif 000005
【図４】
2014201854.tif 000006
【図５】
2014201854.tif 000007